(57)【特許請求の範囲】
【請求項１】
付勢されたときに放電を維持する充填物が内部に封入されていると共に、内面に少なくとも蛍光体被膜が設けられている密封放電容器であって、貫入部を有する密封放電容器、並びにコイル・アセンブリを含む無電極蛍光ランプであって、
該コイル・アセンブリは、
基体、該基体に支持された透磁性材料のコア、該コアの周りに設けられたコイル、および前記コアに係合する保持クリップを含んでいて、前記コアを前記基体上に保持する保持クリップを有し、
前記コイルおよび前記コアが前記貫入部内に収容され、
前記コアは中空であり、前記保持クリップは前記コアの中を通って延在する少なくとも一対のフィンガを有し、各々の前記フィンガは、前記基体とは反対側のコアの前記端部に係合する横方向の突出部を有していることを特徴とする無電極蛍光ランプ。
【請求項２】
前記保持クリップは前記基体と一体である請求項１記載の無電極蛍光ランプ。
【請求項３】
前記コイルは前記コアに直接巻装されている請求項１または２に記載の無電極蛍光ランプ。
【請求項４】
更に、前記コイル・アセンブリおよび前記放電容器を支持するハウジングを含んでいる請求項１乃至３のいずれか１項に記載の無電極蛍光ランプ。
【請求項５】
前記放電容器が前記コイル・アセンブリの前記基体によって直接支持されている請求項１乃至４のいずれか１項に記載の無電極蛍光ランプ。
【請求項６】
前記放電容器の基部は、該基部の周りに延在するチャンネル内に係合する半径方向外向きの突出部を有し、前記チャンネルは、前記コイル・アセンブリの前記基体に固定された分割リングに形成されている請求項１乃至５のいずれか１項に記載の無電極蛍光ランプ。
【請求項７】
前記放電容器の基部の周りおよび前記コイル・アセンブリの前記基体の周りに延在する分割リングを有し、該分割リングは前記ハウジング内に挿入することによって圧縮されて、前記放電容器の基部および前記コイル・アセンブリの前記基体を固定している請求項５記載の無電極蛍光ランプ。
【請求項８】
付勢されたときに放電を維持する充填物が内部に封入されていると共に、内面に少なくとも蛍光体被膜が設けられている密封放電容器であって、貫入部を有する密封放電容器、並びにコイル・アセンブリを含む無電極蛍光ランプであって、
該コイル・アセンブリは、
基体、該基体に支持された透磁性材料のコア、該コアの周りに設けられたコイル、および少なくとも一対の弾性体のコア保持用フィンガを有し、
該一対のコア保持用フィンガの間に前記コアが位置付けられ、
各々の前記コア保持用フィンガは、前記基体とは反対側のコアの前記端部に係合する横方向の突出部を有し、前記コアを前記基体上に保持し、
前記コイルおよび前記コアが前記貫入部内に収容されることを特徴とする無電極蛍光ランプ。
【発明の詳細な説明】
【０００１】
【発明の属する技術分野】
本発明は、一面では、コイル・アセンブリに関するものであり、また別の面では、該コイル・アセンブリを有する無電極蛍光ランプに関するものである。
【０００２】
【発明の背景】
欧州特許公報ＥＰＡ−Ａ−０６６０３７５に記載されているように無電極蛍光ランプは知られている。無電極蛍光ランプは、付勢されたときに放電を維持する充填物を封入した密封放電容器を有する。密封放電容器はとりわけ蛍光体被膜で被覆されており、この蛍光体被膜は放電による紫外線を可視光に変換する。密封放電容器は貫入部を有し、貫入部内にはコイル・アセンブリのコイルが収容され、コイルは容器内に無線周波（ＲＦ）ソレノイド状電界を作成する。コイルはＲＦ発振器によって付勢される。ＲＦ発振器はハウジング内に収容され、ハウジングはコイル・アセンブリ、放電容器およびＲＦ発振器を支持する。コイル・アセンブリは、ハウジングによって支持される基体部材を有する。コイル・アセンブリのコイルは、コアおよび該コア上の巻線を有する。コアは中空の円筒形フェライト・コアである。巻線はコア上に直接巻装される。コアおよび巻線は、基体部材に適当な接着剤を用いて固定される。巻線は基体部材上の接続ピンに接続される。接続ピンはＲＦ発振器に対する接続を行う。
【０００３】
【発明の概要】
本発明の一面ではコイル・アセンブリが提供される。本発明によるコイル・アセンブリは、基体、該基体上に支持された透磁性材料のコア、該コアの周りに設けられたコイル、並びにコアを基体上に保持する保持手段であって、コアに係合するクリップ（ｃｌｉｐ）を含む保持手段を有する。これにより、接着剤の使用が避けられ、コイル・アセンブリを組み立てる手順がコアを基体にクリップすることによって簡単化される。
【０００４】
一実施態様では、コアは中空であり、保持手段のクリップはコアの中を通って延在する少なくとも一対のフィンガを有し、各々のフィンガは、基体とは反対側のコアの端部に係合する横方向の突出部を有する。従って、コアをフィンガ上に押しはめると、フィンガはコアを保持するクリップとして働き、これにより組み立て作業が簡単化される。
【０００５】
別の実施態様では、保持手段は少なくとも一対のフィンガを有し、これらのフィンガの間にコアが配置される。各々のフィンガは、基体とは反対側のコアの端部に係合する横方向の突出部を有する。従って、コアをフィンガの間に押し込むと、フィンガはコアを保持するクリップとして働き、これにより組み立て作業が簡単化される。
【０００６】
本発明の別の面では無電極蛍光ランプが提供される。本発明による無電極蛍光ランプは、付勢されたときに放電を維持する充填物が内部に封入されていると共に、内面に少なくとも蛍光体被膜が設けられている密封放電容器であって、貫入部を有する密封放電容器、並びに上述のコイル・アセンブリであって、そのコイルが貫入部内に収容されているコイル・アセンブリを含んでいる。一実施態様では、コイル・アセンブリの基体および密封放電容器を支持するハウジングが設けられる。ハウジングは、ＲＦ信号でコイルを付勢する手段を収容する。
【０００７】
本発明の更に別の面によれば、無電極蛍光ランプは、基体を持つコイル・アセンブリ、コイル・アセンブリを収容する貫入部を持つ放電容器、放電容器の基部の周りに延在するチャンネルを持ち、コイル・アセンブリの基体に固定される分割リング、およびハウジングを含んでおり、分割リングは放電容器の基部をチャンネル内に締め付けるためにハウジングによって圧縮される。一実施態様では、分割リングはコイル・アセンブリの基体によって支持され、基体が分割されており、基体およびリングもハウジングによって圧縮される。別の実施態様では、基体が分割リング内に支持され、リングはハウジングによって圧縮されて、該リング内に基体および放電容器を締め付ける。
【０００８】
【発明の実施の形態】
本発明をよりよく理解できるように添付の図面を参照した以下に説明する。
図１は無電極蛍光ランプを示す。このランプは、付勢されたときに放電を維持することの出来る水銀を含む適当な充填物（図示していない）が内部に封入されている密封放電容器１を有する。密封放電容器の内面上には、放電により生じる紫外光を可視光に変換する蛍光体被膜２が設けられている。放電容器は従来知られている他の被膜を含むことができる。他の被膜には、透明な導電層（図示していない）が含まれる。
【０００９】
密封放電容器は貫入部３、および貫入部の軸線に沿って延在する排気管４を有する。排気管はその先端部に水銀アマルガム５を収容する。貫入部３内に収容されたコイル６によって発生されるＲＦ電界により放電が励起される。コイル６は、ＲＦ発振器７および整流器８を有する付勢回路７８によって付勢される。コイル６は以下に説明するコイル・アセンブリの一部である。付勢回路７８は放電容器およびコイル・アセンブリとは別々であってよい。コイル・アセンブリ、放電容器および付勢回路７８は、差込み口金またはねじ込み口金のような口金１０に接続されたハウジング９によって支持されている。
【００１０】
図２はコイル・アセンブリの一実施態様を示し、該コイル・アセンブリは、中空の円筒形フェライト・コア２０および該コアの周りに巻装されたコイル２１を有する。コイル２１はコア２０に直接巻き付けることが出来る。コイル・アセンブリは基体２２を有し、この例では基体２２は密封放電容器１を支持する。図１に示すように、放電容器１の基部１１が基体基体２２の上に載置される。コア２０は中空円筒形であり、その中を排気管４が通って延在する。少なくとも一対のフィンガ２３が基体２２と一体に形成されて、基体２２から直立する。フィンガ２３はコアの中を通って延在する。フィンガ２３は基体２２とは反対側に横方向の突出部２４を有し、これらの突出部はコアと係合して、コアを基体上に保持する。フィンガは弾性である。コアを支持体に組み立てるには、コアをフィンガ上に押しはめて、基体２２とは反対側のコアの面をフィンガの突出部に係合させればよい。その際、フィンガはクリップとして作用する。
【００１１】
コア２０がコイル支持体上でがたつくのを防止するために、コアと基体２２との間にばね座金２５を配置することが出来る。コイル２１はピン２６に半田付けされ、ピンはコイルを付勢回路７８に接続する。
代わりの構成として、突出部２４をサークリップ（ｃｉｒｃｌｉｐ：図示していない）と置き換えてもよい。
【００１２】
図３は別のコイル・アセンブリを示し、該コイル・アセンブリは中空の円筒形フェライト・コア３０およびコイル３１を有する。排気管４はコア３０の中心を通って延在する。コイル・アセンブリは、図２のコイル支持体の基体２２と同様に放電容器を支持することのできる基体３２を有する。コイル巻枠３４が基体３２と一体に形成されて、基体３２から直立する。コイル３１はコイル巻枠３４上に巻装される。コア３０は、コイル巻枠３４の内周面に形成された溝内に保持されているサークリップ３３によってコイル巻枠３４内に保持される。サークリップ３３の代わりに、図２の突出部２４と同様に働く内向きに突き出す突出部を設けてもよい。
【００１３】
コイル３１は、このコイルを付勢回路７８に接続するピン２６に半田付けされる。コアががたつくのを防止するために、図２のばね座金２５と同様なばね座金を配置することが出来る。
図４は本発明の好ましい実施態様によるコイル支持体を示す。コイル支持体は単一のプラスチック・モールド成形品であり、円形の基体４２および該基体から一体に直立する円筒形のコイル巻枠及びコイル保持体４０を有する。コイル巻枠及びコイル保持体４０は、使用時は、中空の円筒形フェライト・コア（図を簡単明瞭にするために図示していない）を収容する。コイル巻枠及びコイル保持体４０は複数のコア保持用のフィンガ４３とそれらの間に延在する複数のコイル形成用のフィンガ４５によって構成される。コアは、基体４２近くのコイル巻枠及びコイル保持体４０の端部にあるフランジ４６とコア保持用のフィンガ４３の端部にある横方向の突出部４４とによって、コイル巻枠及びコイル保持体４０内に軸方向に保持される。突出部４４はフランジ４６とは反対側のコアの端部に係合する。コイル形成用のフィンガ４５には巻線案内部がモールド成形されている。コア保持用のフィンガ４３およびコイル形成用のフィンガ４５は弾性である。
【００１４】
コイル・アセンブリを組み立てるには、フェライト・コアをコイル巻枠及びコイル保持体４０内に押し込んで、フランジ４６と突出部４４との間に軸方向に保持させる。次いで、コイルをコイル形成用のフィンガ４５に巻装する。フィンガ４３および４５はコイルの巻線によってコアに押し付けられ、従ってこの巻装されたコイルもまたコアを保持する。
【００１５】
基体４２は複数の対の壁４７を有し、対の壁４７は付勢回路７８の回路板の縁部を保持するためのスロットを形成する。回路板は排気管４の先端部に接触しないように基体４２の中心からずらして配置される。基体４２には上記のスロットに隣接して接続ピン用の孔４８が設けられており、接続ピンは半田付けまたは圧着などによりコイルに接続されて、コイルを付勢回路７８に接続する。
【００１６】
また基体４２の縁部にスロット４９が設けられ、スロット４９はハウジング９の突出部に係合して、コイル・アセンブリがハウジングに対して回転するのを防止し、またコイル・アセンブリをハウジングに対して唯一つの向きにはめ込むことが出来るようにする。
図５（Ａ）はハウジング９の平面図を示しており、また図５（Ｂ）はハウジング９、付勢回路７８の回路板、コイル・アセンブリの基体４２および放電容器１の部分断面図を示している。ハウジング９は、基体４２を支持する円筒形の内部フランジ５０を有する。基体４２は楔５１によってフランジ５０上に保持される。フランジ５０および楔５１はハウジング９と一体にモールド成形される。フランジ５０の突出部５２が、基体４２の縁部の回転防止用のスロット４９と係合する。基体４２をハウジング内に固定するためには、単に基体４２を楔５１の上から押し込んで、基体４２をフランジ５０と楔５１との間の位置にスナップ式にはめればよい。
【００１７】
上述の実施態様に種々の変更を行うことが出来る。放電容器１は図１に示されるようにコイル・アセンブリの基体によって直接支持することが出来る。その代わりに、放電容器をハウジング９によって直接支持してもよい。図５の回路板（７８）は、接続ピン２６または３６を受け入れるソケットを有するものであってよい。
【００１８】
図６は、図５（Ｂ）の構成の２つの変更例を示している。図６においては、図５（Ｂ）のフランジ５０および楔５１が、ハウジング９と一体にモールド成形されたラチェット６０に置き換えられている。更に、放電容器が、戻り止め６２によってコイル・アセンブリの基体４２に固定されている分割リング６１（図７にも示す）によって支持されている。戻り止め６２は基体４２中の対応するスロットを通り抜けて、分割リング６１を基体４２にクリップすなわち留める。放電容器の基部１１は膨らみ部６４の形の半径方向外向きの突出部を有する。分割リング６１は、放電容器の周りのほぼ１８０°の円弧にわたって膨らみ部６４に係合するチャンネル６３を有する。
【００１９】
放電容器、クリップおよびコイル支持体を組み立てるためには、放電容器を受けるための開口６５を持つ分割リング６１を、膨らみ部６４上に押しはめる。放電容器および分割リングを次いでコイル支持体の上に配置し、戻り止め６２をコイル支持体の基体４２中のスロットに押し込む。放電容器をクリップに固定するために、接着剤を使用することが出来る。その代わりに、基体４２を半径線６６に沿って分割する。基体４２をラチェット６０に沿って押し付けたとき、分割リングしたがってクリップも圧縮されて、放電容器がクリップに固定される。
【００２０】
図８は、弾性の分割リング８０によって支持される基体４２を持つコイル・アセンブリ（６）を示す。分割リング８０の外周がハウジング上のラチェット６０に係合する。基体４２は分割リング８０の内周に設けられた溝内に保持される。放電容器の基部の膨らみ部６４が分割リング８０内の基体４２の上方のチャンネル８３と係合する。回路板（７８）が対の壁４７の間のスロットによって基体４２に固定される。ハウジング９内での回路板の回転を防止するために、ハウジングに別のスロット８１が設けられる。
【００２１】
放電容器１、分割リング８０、コイル・アセンブリ（６）、回路板（７８）およびハウジング９を組み立てるためには、先ず、分割リング８０を十分に開いて、コイル・アセンブリの基体４２を分割リング８０の溝内にスナップ式にはめ込む。次いで、回路板をスロット（４７）に固定し、且つ好ましくは回路板上のソケットを基体４２上の接続ピンと係合させることによってコイルを回路板に接続する。次いで、放電容器をチャンネル８３にスナップ式にはめ込む。こうして得られた組立体をハウジング内に押し込んでラチェット６０と係合させる。これにより、ラチェット６０が放電容器および基体４２を保持するようにリング８０を圧縮する。
【００２２】
ランプは、ＲＦ発振器７および整流器８を有する付勢回路７８の部分とは別々に作って販売してもよい。付勢回路７８は放電容器およびコイル・アセンブリとは別々に収容してもよい。
【図面の簡単な説明】
【図１】無電極蛍光ランプの簡略断面図である。
【図２】本発明の一面によるコイル・アセンブリの簡略断面図である。
【図３】本発明の一面による別のコイル・アセンブリの簡略断面図である。
【図４】本発明の好ましい実施態様によるコイル支持体を示し、（Ａ）はその側面図、（Ｂ）は上面図、（Ｃ）は底面図である。
【図５】ランプのハウジングの一部分を示し、（Ａ）はその平面図、（Ｂ）は断面図である。
【図６】本発明の別の実施態様によるコイル支持体を示す断面図である。
【図７】図６の実施態様で使用されるクリップの平面図である。
【図８】図６および図７の実施態様の代替例を示す断面図である。
【符号の説明】
１    密封放電容器
２    蛍光体被膜
３    貫入部
４    排気管
５    水銀アマルガム
６、２１、３１    コイル
７    ＲＦ発振器
８    整流器
９    ハウジング
１０    口金
１１    放電容器の基部
１４    コイル支持体
２０、３０    中空の円筒形フェライト・コア
２２、３２、４２    基体
２３、４３、４５    フィンガ
２４、４４    フィンガの突出部
３３    サークリップ
３４    コイル巻枠
４０    コイル巻枠及びコイル保持体
４６、５０    フランジ
５１    楔
５２    突出部
４７    対の壁
４８    孔
４９    スロット
６０    ラチェット
６１、８０    分割リング
６２    戻り止め
６３、８３    チャンネル
６４    膨らみ部
６５    開口
７８    付勢回路
【図１】
0003950516.tif 000002
【図２】
0003950516.tif 000003
【図３】
0003950516.tif 000004
【図４】
0003950516.tif 000005
【図５】
0003950516.tif 000006
【図６】
0003950516.tif 000007
【図７】
0003950516.tif 000008
【図８】
0003950516.tif 000009